(57)【要約】【課題】  蓋体の着脱操作が容易で、蓋体を確実に係止でき、取付具を背板側或は蓋体側の何れの方に保持させても蓋体の着脱が可能な点検口に蓋体を取り付けるための取付具及びこの取付具を用いた蓋体取り付け或は取り外し方法を提供する。【解決手段】  板体に形成された点検口を閉じる蓋体の取付具を、基板と、該基板の一方端部から表面側へと延設された係止弾片部と、基板の他方端部から裏面側へと延設された略凹状に形成された挟持弾片部と、から構成し、係止弾片部の終端部には、蓋板の厚さ寸法よりも若干大きな幅寸法を有する段片部が上下方向に弾性を有して形成され、該取付具の挟持弾片部を点検口の相対向する周縁部に嵌合係止させ、蓋体の一方縁部を、一方の取付具の係止弾片部の段片部に係止させた後、蓋板を押し付け、蓋体の他方縁部を他方の取付具の係止弾片部の段片部に嵌合係止させる。【選択図】図９
2005230467.tif 000002
【特許請求の範囲】
【請求項１】
板体に形成された点検口を閉じる蓋体の取付具を、基板と、該基板の一方端部から表面側へと延設された係止弾片部と、上記基板の他方端部から裏面側へと延設された略凹状に形成された挟持弾片部と、から構成し、上記係止弾片部の終端部には、蓋板の厚さ寸法よりも若干大きな幅寸法を有する段片部が、該段片部平面部に対して上下方向に弾性を有して形成されていることを特徴とする点検口に蓋体を取り付けるための取付具。
【請求項２】
前記係止弾片部の水平面部に、指掛け用の凸片部を突設したことを特徴とする請求項１に記載の点検口に蓋体を取り付けるための取付具。
【請求項３】
請求項１又は請求項２のいずれかに記載の取付具の挟持弾片部を点検口の相対向する周縁部に嵌合して係止させ、次に、蓋体の一方縁部を、一方の取付具の係止弾片部の段片部に係止させた後、蓋板を点検口側に押し付け、蓋体の他方縁部を他方の取付具の係止弾片部の段片部に嵌合係止させることで蓋体を点検口に取り付けることを特徴とする取付具を用いた蓋体取り付け方法。
【請求項４】
請求項３に記載の方法によって取り付けられた蓋体を点検口から取り外す場合に、いずれかの取付具の係止弾片部に突設された凸片部を指で押圧し、蓋体をキャビネット内部方向に引き出すことを特徴とする取付具を用いた蓋体取り外し方法。
【請求項５】
請求項１又は請求項２のいずれかに記載の取付具の挟持弾片部を蓋体の相対向する周縁部に嵌合して係止させ、次に、蓋体を点検口方向に押し付けることで、蓋体に嵌合係止された取付具の係止弾片部が点検口の周縁部に当たって撓み変形した後、その弾性により復動し、該係止弾片部の段片部が点検口の周縁部に係止させることで、蓋体を点検口に取り付けることを特徴とする取付具を用いた蓋体取り付け方法。
【請求項６】
請求項５に記載の方法によって取り付けられた蓋体を点検口から取り外す場合に、いずれか一方の取付具を他の取付具方向へと押圧し、該一方の取付具の係止弾片部の段片部と点検口の周縁部との弾性係止状態を解除して、蓋体をキャビネット内部方向に引き出すことを特徴とする取付具を用いた蓋体取り外し方法。
【発明の詳細な説明】
【技術分野】
【０００１】
この発明は、背板や底板に形成した点検口に対し蓋体を着脱自在に取り付けるための取付具及びこの取付具を用いた蓋体取り付け・取り外し方法に関する。
【背景技術】
【０００２】
流し台や洗面台等のキャビネットの背面若しくは底板部には、この流し台や洗面台が設置される建物側に配置された設備との間で給水管や給湯管、或は排水管の接続工事を行ったり、あるいはその点検、補修を行うための点検口が形成されている。
【０００３】
このような点検口に対し、該点検口を塞ぐための蓋体を着脱自在に取り付けるために用いられる取付具として、従来、特許文献１に示す取付具が知られている。
【０００４】
【特許文献１】特許第２９６１５０２号公報
【０００５】
この従来の取付具８は、図１４に示すように、金属板或は可撓性を有する合成樹脂材の両端を表面側と裏面側にそれぞれ折り返して、断面ほぼＳ字形に形成したものであり、中央の基板８ｂの裏面側にこの基板８ｂとほぼ同じ大きさの弾性を有する挟持片８ａを形成すると共に、基板８ｂの表面側に前記挟持片８ａよりも短い掛支片８ｃを形成している。
【０００６】
このように構成された取付具８で蓋体７を取り付ける場合には、まず取付具８を、中央の基板８ｂと裏面側の挟持片８ａとの間に点検口６ａを形成した背板６の端縁を挟持するように差し込む。このようにして取付具８を点検口６ａの上下に取り付ける。この時、取付具８の表面側（掛支片８ｃを設けた側）を背板６の前面に位置させる。これにより、基板８ｂに対し短く形成された掛支片８ｃは、点検口６ａの周囲端縁のさらに外側に位置することとなるので、この状態で、蓋体７の下端縁を下方の取付具８の掛支片８ｃに差し込み、その後、蓋体７の上側を背板６の方向に押し付ける。そして、点検口６ａを塞ぐように蓋体７を背板６の前面に接触させる。次に、上方の取付具８を下方に押し下げると、蓋体７の上端縁がこの取付具８の掛支片８ｃの内側に侵入し、このことにより、蓋体７は、上下の取付具８の掛支片８ｃでその上下端縁が掛支され、点検口６ａを塞いだ状態に取り付けられる。
【０００７】
また、蓋体７を取り外す必要が生じた場合は、上記と全く反対に上方の取付具８を上方に押し上げればよく、このことで蓋体７の上端縁の掛支状態が解除される。この後、蓋体７の上端を手前（キャビネットの内部側）に引き出した後、蓋体７を上方に引き上げると、蓋体７と下方の取付具８との掛支状態も解除され、蓋体７が背板６から取り外され、点検口６ａが開放される。
【発明の開示】
【発明が解決しようとする課題】
【０００８】
しかしながら、このような構成からなる従来の取付具８を用いた場合には、蓋体７を取付け或は取り外すときに、途中で取付具８を水平方向或は垂直方向に移動操作しなければならず、着脱操作に手間がかかるばかりでなく、蓋体７の取付けが完了したとき、上方の取付具８を垂下方向に押し下げることとなり、上方の取付具８の背板６に対する保持力が弱まり、蓋体７に少しの外力が加わることで容易に外れてしまうという虞も有し、さらには、剛性がない背板には取り付けられない、という問題を有していた。しかも、上記従来の取付具８では、蓋体７に当該取付具８を保持させて背板６に嵌めこむことはできない構造であるため、蓋体７の取り付け作業が煩雑である、という問題も有していた。
【０００９】
この発明は、かかる現状に鑑み創案されたものであって、その目的とするところは、蓋体の着脱操作に手間がかからず、かつ蓋体を確実に係止でき、しかも、取付具を背板側あるいは蓋体側の何れの方に保持させても蓋体の着脱が可能な点検口に蓋体を取り付けるための取付具及びこの取付具を用いた蓋体取り付け或は取り外し方法を提供しようとするものである。
【課題を解決するための手段】
【００１０】
上記の課題を解決するために、請求項１に記載の発明にあっては、板体に形成された点検口を閉じる蓋体の取付具を、基板と、該基板の一方端部から表面側へと延設された係止弾片部と、上記基板の他方端部から裏面側へと延設された略凹状に形成された挟持弾片部と、から構成し、上記係止弾片部の終端部には、蓋板の厚さ寸法よりも若干大きな幅寸法を有する段片部が、該段片部平面部に対して上下方向に弾性を有して形成されていることを特徴とする。
【００１１】
また、請求項２に記載の発明にあっては、請求項１に記載の取付具を技術的前提とし、上記係止弾片部の水平面部に、指掛け用の凸片部を突設したことを特徴とする。
【００１２】
請求項３に記載の発明は、請求項１又は請求項２のいずれかに記載の取付具の挟持弾片部を点検口の相対向する周縁部に嵌合して係止させ、次に、蓋体の一方縁部を、一方の取付具の係止弾片部の段片部に係止させた後、蓋板を点検口側に押し付け、蓋体の他方縁部を他方の取付具の係止弾片部の段片部に嵌合係止させることで蓋体を点検口に取り付けることを特徴とする取付具を用いた蓋体取り付け方法。
【００１３】
請求項４に記載の発明は、請求項３に記載の方法によって取り付けられた蓋体を点検口から取り外す場合に、いずれかの取付具の係止弾片部に突設された凸片部を指で押圧し、蓋体をキャビネット内部方向に引き出すことを特徴とする取付具を用いた蓋体取り外し方法。
【００１４】
請求項５に記載の発明は、請求項１又は請求項２のいずれかに記載の取付具の挟持弾片部を蓋体の相対向する周縁部に嵌合して係止させ、次に、蓋体を点検口方向に押し付けることで、蓋体に嵌合係止された取付具の係止弾片部が点検口の周縁部に当たって撓み変形した後、その弾性により復動し、該係止弾片部の段片部が点検口の周縁部に係止させることで、蓋体を点検口に取り付けることを特徴とする取付具を用いた蓋体取り付け方法。
【００１５】
請求項６に記載の発明は、請求項５に記載の方法によって取り付けられた蓋体を点検口から取り外す場合に、いずれか一方の取付具を他の取付具方向へと押圧し、該一方の取付具の係止弾片部の段片部と点検口の周縁部との弾性係止状態を解除して、蓋体をキャビネット内部方向に引き出すことを特徴とする取付具を用いた蓋体取り外し方法。
【発明の効果】
【００１６】
上記の課題を解決するために、請求項１に記載の発明にあっては、板体に形成された点検口を閉じる蓋体の取付具を、基板と、該基板の一方端部から表面側へと延設された係止弾片部と、上記基板の他方端部から裏面側へと延設された略凹状に形成された挟持弾片部と、から構成し、上記係止弾片部の終端部には、蓋板の厚さ寸法よりも若干大きな幅寸法を有する段片部が、該段片部平面部に対して上下方向に弾性を有して形成したので、取付具を背板側（底板側）あるいは蓋体側の何れの方に保持させても、工具等を用いることなく蓋体を点検口に押し付けるだけで確実に、かつ容易に取り付けることができ、また、蓋体をスライドさせたり背板を後方へ押し込む力を加えずに取り付けることも可能であるため、背板を剛性がない材質で形成することができるため、製品コストを大幅に低減することができる。さらに、この発明にあっては、蓋体や取付具をビス止めしないので、背板側にビス止め用の下地材を取り付けたり、ビス穴を設けたりする必要が無くなると共に、出荷時における蓋体のねじ止め作業も不要となり、点検口を設けた製品の生産性が向上すると共に、そのコストダウンも図ることができる。またさらに、この発明に係る取付具は、合成樹脂の一体成形や金属板を屈曲するだけで形成できるので、寸法精度を要する複雑な加工を要さず、容易に製作でき、しかも可撓性を有するのである程度の寸法誤差が許容できると共に、各種点検口蓋の取り付けにも流用でき、コストダウンが図られる。また、ビス止めのように着脱を繰り返すことによる取付強度の低下も生じにくく、耐久性を経時保持することができる、という優れた効果を奏する。
【００１７】
また、請求項２に記載の発明にあっては、上記係止弾片部の水平面部に、指掛け用の凸片部を突設したので、この凸片部に指を掛けて係止弾片部を上方向に押し上げることで、蓋体を該係止弾片部の段片部に装着し、或は、取り外すことができるので、蓋体の着脱作業を工具を用いることなく簡単に行なうことができる。
【００１８】
請求項３に記載の方法の発明は、請求項１又は請求項２のいずれかに記載の取付具の挟持弾片部を点検口の相対向する周縁部に嵌合して係止させ、次に、蓋体の一方縁部を、一方の取付具の係止弾片部の段片部に係止させた後、蓋板を点検口側に押し付け、蓋体の他方縁部を他方の取付具の係止弾片部の段片部に嵌合係止させることで蓋体を点検口に取り付けるように構成したので、工具を用いることなく、蓋体を点検口に押し付けるだけで確実に、かつ容易に取り付けることができる。
【００１９】
請求項４に記載の方法の発明は、請求項３に記載の方法によって取り付けられた蓋体を点検口から取り外す場合に、いずれかの取付具の係止弾片部に突設された凸片部を指で押圧し、蓋体をキャビネット内部方向に引き出すように構成したので、工具を用いることなく簡単に蓋体を点検口から取り外すことができる。
【００２０】
請求項５に記載の発明は、請求項１又は請求項２のいずれかに記載の取付具の挟持弾片部を蓋体の相対向する周縁部に嵌合して係止させ、次に、蓋体を点検口方向に押し付けることで、蓋体に嵌合係止された取付具の係止弾片部が点検口の周縁部に当たって撓み変形した後、その弾性により復動し、該係止弾片部の段片部が点検口の周縁部に係止させることで、蓋体を点検口に取り付けるように構成したので、工具を用いることなく、蓋体を点検口に押し付けるだけで確実に、かつ容易に取り付けることができる。
【００２１】
請求項６に記載の発明は、請求項５に記載の方法によって取り付けられた蓋体を点検口から取り外す場合に、いずれか一方の取付具を他の取付具方向へと押圧し、該一方の取付具の係止弾片部の段片部と点検口の周縁部との弾性係止状態を解除して、蓋体をキャビネット内部方向に引き出すように構成したので、工具を用いることなく簡単に蓋体を点検口から取り外すことができる。
【発明を実施するための最良の形態】
【００２２】
以下、添付図面に示す発明の実施例に基づき、この発明を詳細に説明する。
【実施例１】
【００２３】
図１乃至図７は、この発明の実施例１に係る取付具Ｔを示しており、図１は、この取付具Ｔの斜視図、図２は同取付具Ｔの正面図、図３は同取付具Ｔの背面図、図４は同取付具Ｔの平面図、図５は同取付具Ｔの底面図、図６は同取付具Ｔの右側面図、図７は同取付具Ｔの左側面図である。
【００２４】
本実施例１に係る取付具Ｔは、金属材或は弾性を有する合成樹脂材で形成されており、平面状の基板１０と、該基板１０の上端部から表面側へと延設された係止弾片部１１と、上記基板１０の下端部から裏面側へと延設された略凹状に形成された挟持弾片部１２と、から構成されている。
【００２５】
係止弾片部１１は、基板１０の上端部から表面側へと延設された水平片部１３と、該水平片部１３の終端部から基板方向に延設された傾斜片部１４と、この傾斜片部１４の終端部から上方向に延設された短寸の立上げ片部１５と、該立上げ片部１５の終端部から基板方向に延設され後記する蓋板Ｆの厚さ寸法よりも若干大きな幅寸法を有する段片部１６と、から構成されており、上記水平片部１３の終端部近傍には指掛け用の凸片部１７が突設されている。
【００２６】
このように構成されてなる係止弾片部１１は、上記段片部１６が上下方向に弾性変形可能に構成されているので、図１０及び図１１の場合のように、蓋体Ｆの上下寸法に誤差がある場合であっても、該蓋体Ｆの寸法誤差を吸収し、蓋体Ｆをがたつきがない状態で弾持される。
【００２７】
また、上記挟持弾片部１２は、上記基板１０の下端部から裏面側へと延設された水平片部１８と、該水平片部１８から上方向に略Ｓ字状に延設された弾片部１９と、から構成されており、上記基板１０と弾片部１９との間に、後記する点検口Ｈの周縁背板部Ｓが挟持される。
【００２８】
このように構成されてなる取付具Ｔを用いて蓋体Ｆを背板Ｓに開設された点検口Ｈを塞ぐ場合には、図８に示すように、点検口Ｈの上縁部及び下縁部に夫々取付具Ｔの挟持弾片部１２を押し込んで嵌合係止させ、次に、蓋体Ｆの下方縁部を、下側に取り付けた取付具Ｔの係止弾片部１１の段片部１６に係止させた後、該蓋板Ｆを点検口側に押し付け、蓋体Ｆの上縁部を、図９に示すように、上側に取り付けた取付具Ｔの係止弾片部１１の段片部１６に嵌合係止させることで、蓋体Ｆを背板Ｓに取り付け点検口Ｈを塞ぐことができる。
【００２９】
尚、上記実施例１では、取付具Ｔを点検口Ｈの上下縁部に装着して蓋体Ｆを取り付けた場合を例にとり説明したが、この発明にあってはこれに限定されるものではなく、図１２に示すように、点検口Ｈの上下左右４箇所に装着して蓋体Ｆを取り付けてもよく、或は、該蓋体Ｆは、背板Ｓに脱落不可にこの取付具Ｔで掛支されて点検口Ｈを閉じていれば、蓋体Ｆの下端を蝶番などを用いて背板Ｓに回動自在に取り付け、蓋体Ｆの上端縁のみをこの取付具Ｔで掛支してもよい。また、実施例では２個或は４個の本取付具Ｔを用いて蓋体Ｆを背板Ｓに取り付けた例を示したが、取付具Ｔの幅が、蓋体Ｆをがたつきなく保持するのに十分な長さを有していれば、上下一対若しくは１個だけ使用しても構わない。
【００３０】
また、上記のように取り付けられた蓋体Ｆを点検口Ｈから取り外す場合には、上側に装着された取付具Ｔの係止弾片部１１に突設されてなる凸片部１７を指で押圧しつつ、蓋体Ｆを手前側に引き出すことで、工具を用いることなく簡単に蓋体Ｆを点検口Ｈから取り外すことができる。
【００３１】
図１３は、上記実施例１に係る取付具Ｔで蓋体Ｆを取り付ける別の方法を示しており、この例では、取付具Ｔａ，Ｔｂの挟持弾片部１２を蓋体Ｆの相対向する周縁部に嵌合して係止させ、次に、蓋体Ｆを点検口方向に押し付けることで、蓋体Ｆに嵌合係止された取付具Ｔａ，Ｔｂの係止弾片部１１が点検口Ｈの周縁背板部Ｓに当たって撓み変形した後、その弾性により復動し、該係止弾片部１１の段片部１６が点検口Ｈの周縁背板部Ｓに係合させることで、蓋体Ｆを点検口Ｈに、工具を用いることなく極めて簡単に取り付けることができる。
【００３２】
このような取り付け方法によれば、取付具Ｔａ，Ｔｂの挟持弾片部１２のキャビネット方向への突出量が、取付具Ｔａ，Ｔｂの係止弾片部１１の突出量よりも小さいので、キャビネット内を広く利用することができる。また、点検口Ｈをキャビネットの底板側に形成し、その上部に抽斗をスライド自在に配設する場合には、抽斗の取り付け位置を下げることができ、抽斗の収納容量を大きくすることができる、という効果が得られる。
【００３３】
また、上記方法によって取り付けられた蓋体Ｆを点検口Ｈから取り外す場合には、一方の取付具Ｔａを他の取付具Ｔｂ方向へと押圧し、該取付具Ｔａの係止弾片部１１の段片部１６と点検口Ｈの周縁背板部Ｓとの弾性係止状態を解除した後、蓋体Ｆを手前側に引き出すことで、工具を用いることなく簡単に蓋体Ｆを点検口Ｈから取り外すことができる。
【００３４】
尚、上記実施例では、蓋体Ｆを板状に形成したものを例にとり説明したが、この発明にあってはこれに限定されるものではなく、蓋体に排水管などの挿通孔などが形成されたものを用いてもよい。
【図面の簡単な説明】
【００３５】
【図１】この発明の実施例１に係る点検口を閉じる蓋体の取付具の斜視図である。
【図２】同取付具の正面図である。
【図３】同取付具の背面図である。
【図４】同取付具の平面図である。
【図５】同取付具の底面図である。
【図６】同取付具の右側面図である。
【図７】同取付具の左側面図である。
【図８】同取付具を用いて蓋体を点検口に装着する前の状態を示す断面図である。
【図９】同取付具を用いて蓋体を点検口に装着した状態を示す断面図である。
【図１０】同取付具の係止弾片部における蓋体の弾持状態の第１例を示す断面図である。
【図１１】同取付具の係止弾片部における蓋体の弾持状態の第２例を示す断面図である。
【図１２】同取付具の蓋体への装着例を示す説明図である。
【図１３】同取付具による蓋体の取り付け・取り外し手順の他例を示す断面説明図である。
【図１４】従来の取付具を用いて蓋体を点検口に装着した状態を示す断面図である。
【符号の説明】
【００３６】
Ｆ  蓋体
Ｈ  点検口
Ｓ  背板
Ｔ，Ｔａ，Ｔｂ  取付具
１０  基板
１１  係止弾片部
１２  挟持弾片部
１６  段片部
１７  凸片部
【図１】
2005230467.tif 000003
【図２】
2005230467.tif 000004
【図３】
2005230467.tif 000005
【図４】
2005230467.tif 000006
【図５】
2005230467.tif 000007
【図６】
2005230467.tif 000008
【図７】
2005230467.tif 000009
【図８】
2005230467.tif 000010
【図９】
2005230467.tif 000011
【図１０】
2005230467.tif 000012
【図１１】
2005230467.tif 000013
【図１２】
2005230467.tif 000014
【図１３】
2005230467.tif 000015
【図１４】
2005230467.tif 000016